(57)【要約】  変圧器(１００)は、変圧器本体(１１０)と、タンク(１２０)と、コンサベータ(１３０)と、複数の支持金具(１４０)と、少なくとも１つの取付座(１５０)とを備える。変圧器本体(１１０)は、鉄心(１１１)および巻線(１１２)を含む。タンク(１２０)は、互いに接合されて変圧器本体(１１０)を収容する内部空間を構成する、上部タンク(１２１)、中部タンク(１２２)および下部タンク(１２３)を含む。コンサベータ(１３０)は、タンク(１２０)より上方の位置に配置される。複数の支持金具(１４０)は、互いに間隔をあけて並んで配置され、コンサベータ(１３０)を支持する。少なくとも１つの取付座(１５０)は、上部タンク(１２１)の周壁および中部タンク(１２２)の周壁の両方に接合されてタンク(１２０)に固定され、複数の支持金具(１４０)が取り付けられる。
2019142250.tif 000002
【特許請求の範囲】
【請求項１】
鉄心および巻線を含む変圧器本体と、
互いに接合されて前記変圧器本体を収容する内部空間を構成する、上部タンク、中部タンクおよび下部タンクを含むタンクと、
前記タンクより上方の位置に配置されるコンサベータと、
互いに間隔をあけて並んで配置され、前記コンサベータを支持する複数の支持金具と、
前記上部タンクの周壁および前記中部タンクの周壁の両方に接合されて前記タンクに固定され、前記複数の支持金具が取り付けられる少なくとも１つの取付座とを備える、変圧器。
【請求項２】
前記複数の支持金具は、前記取付座に着脱可能に取り付けられる、請求項１に記載の変圧器。
【請求項３】
前記複数の支持金具または前記取付座に、前記支持金具と前記取付座との位置合わせ用の係合部が設けられている、請求項２に記載の変圧器。
【請求項４】
前記中部タンクの前記周壁の上部の内周面に接合され、前記鉄心を挟み込む鉄心押さえをさらに備え、
前記取付座は、前記中部タンクの前記周壁を間に挟んで前記鉄心押さえと向かい合っている、請求項１から請求項３のいずれか１項に記載の変圧器。
【請求項５】
前記取付座は、前記支持金具と接する平板部、および、該平板部の前記支持金具と接する側とは反対側から立設され、前記上部タンクの前記周壁および前記中部タンクの前記周壁の両方に接する脚部を含む、請求項１から請求項４のいずれか１項に記載の変圧器。
【請求項６】
前記取付座は、前記平板部の周囲の少なくとも一部から前記支持金具と接する側に突出する突出部をさらに含む、請求項５に記載の変圧器。
【請求項７】
前記取付座を複数備え、
前記複数の支持金具は、１対１で対応するように複数の前記取付座に取り付けられる、請求項１から請求項６のいずれか１項に記載の変圧器。
【請求項８】
前記取付座を１つ備え、
前記複数の支持金具は、１つの前記取付座に取り付けられる、請求項１から請求項６のいずれか１項に記載の変圧器。
【発明の詳細な説明】
【技術分野】
【０００１】
本発明は、変圧器に関し、特に、コンサベータを備える変圧器に関する。
【背景技術】
【０００２】
コンサベータを備える変圧器の構成を開示した先行文献として、実開昭５８−１９６８１２号公報(特許文献１)がある。特許文献１に記載された変圧器においては、コンサベータは、ブッシングからの絶縁距離を確保するために、本体タンクの上部面より高い位置で、本体タンクの長手方向の側壁に取り付けられた支持金具に支持されている。
【先行技術文献】
【特許文献】
【０００３】
【特許文献１】実開昭５８−１９６８１２号公報
【発明の概要】
【発明が解決しようとする課題】
【０００４】
支持金具が取り付けられるタンクの側壁には、計器類が配置されているとともに、タンクの継ぎ目が位置しているため、高さ方向または幅方向に大きな支持金具をタンクの側壁に取り付けることは困難であった。そのため、支持金具に多数の梁部材を接続することにより、コンサベータを支持するために必要な強度を確保していた。【０００５】
大型の変圧器は、輸送可能な大きさに分解された状態で変圧器の設置場所に輸送され、設置場所で組み立てられる。多数の梁部材が接続された支持金具でコンサベータを支持する場合、変圧器の設置場所で多数の梁部材を支持金具に接続しなければならず、変圧器の組立時間が長くなる。【０００６】
本発明は上記の問題点に鑑みてなされたものであって、高さ方向および幅方向の少なくとも一方に大きな支持金具をタンクの側壁に取り付け可能とすることにより、支持金具の横断面積を大きくして支持金具の強度を高くすることができるため、支持金具に接続する梁の数を低減できる。その結果、設置場所での変圧器の組立時間を短くすることができる。
【課題を解決するための手段】
【０００７】
本発明に基づく変圧器は、変圧器本体と、タンクと、コンサベータと、複数の支持金具と、少なくとも１つの取付座とを備える。変圧器本体は、鉄心および巻線を含む。タンクは、互いに接合されて変圧器本体を収容する内部空間を構成する、上部タンク、中部タンクおよび下部タンクを含む。コンサベータは、タンクより上方の位置に配置される。複数の支持金具は、互いに間隔をあけて並んで配置され、コンサベータを支持する。少なくとも１つの取付座は、上部タンクの周壁および中部タンクの周壁の両方に接合されてタンクに固定され、複数の支持金具が取り付けられる。
【発明の効果】
【０００８】
本発明によれば、取付座を上部タンクの周壁および中部タンクの周壁の両方に接合してタンクに固定し、支持金具を取付座に取り付けることにより、タンクの継ぎ目および計器類の配置の影響を緩和して、高さ方向および幅方向の少なくとも一方に大きな支持金具をタンクの周壁に取り付け可能とすることができる。これにより、支持金具の横断面積を大きくして支持金具の強度を高くすることができるため、支持金具に接続する梁の数を低減できる。その結果、設置場所での変圧器の組立時間を短くすることができる。
【図面の簡単な説明】
【０００９】
【図１】本発明の実施の形態１に係る変圧器の構成を示す部分正面図である。
【図２】図１の変圧器を矢印ＩＩ方向から見た部分側面図である。
【図３】本発明の実施の形態１に係る変圧器が備える支持金具の構成を示す正面図である。
【図４】図３の支持金具をＩＶ−ＩＶ線矢印方向から見た断面図である。
【図５】本発明の実施の形態１に係る変圧器が備える取付座の構成を示す正面図である。
【図６】図５の取付座を矢印ＶＩ方向から見た側面図である。
【図７】本発明の実施の形態１に係る変圧器において、取付座に支持金具が取り付けられる前の状態を示す部分側面図である。
【図８】本発明の実施の形態２に係る変圧器が備える取付座の構成を示す正面図である。
【図９】図８の取付座を矢印ＩＸ方向から見た側面図である。
【図１０】本発明の実施の形態３に係る変圧器の構成を示す部分正面図である。
【図１１】本発明の実施の形態３に係る変圧器が備える取付座の構成を示す正面図である。
【図１２】図１１の取付座を矢印ＸＩＩ方向から見た側面図である。
【図１３】本発明の実施の形態４に係る変圧器の構成を示す部分正面図である。
【図１４】図１３の変圧器を矢印ＸＩＶ方向から見た部分側面図である。
【図１５】本発明の実施の形態５に係る変圧器が備える取付座の構成を示す正面図である。
【図１６】図１５の変圧器を矢印ＸＶＩ方向から見た側面図である。
【図１７】図１５の変圧器を矢印ＸＶＩＩ方向から見た平面図である。
【図１８】本発明の実施の形態５に係る変圧器を、取付座に支持金具が取り付けられる前に、ワイヤにて吊り上げる状態を示す側面図である。
【図１９】図１８の変圧器を吊り上げる状態を矢印ＸＩＸ方向から見た部分正面図である。
【発明を実施するための形態】
【００１０】
以下、本発明の各実施の形態に係る変圧器について図面を参照して説明する。以下の実施の形態の説明においては、図中の同一または相当部分には同一符号を付して、その説明は繰り返さない。
【００１１】
実施の形態１.
図１は、本発明の実施の形態１に係る変圧器の構成を示す部分正面図である。図２は、図１の変圧器を矢印ＩＩ方向から見た部分側面図である。図１においては、中部タンクおよび下部タンクを透視して変圧器本体を図示している。
【００１２】
図１および図２に示すように、本発明の実施の形態１に係る変圧器１００は、変圧器本体１１０と、タンク１２０と、コンサベータ１３０と、２つの支持金具１４０と、２つの取付座１５０とを備える。ただし、支持金具１４０の数は、２つに限られず、３つ以上でもよい。取付座１５０の数は、２つに限られず、１つまたは３つ以上でもよい。
【００１３】
本実施の形態に係る変圧器１００は、外鉄形の変圧器である。変圧器本体１１０は、鉄心１１１および巻線１１２を含む。巻線１１２は、鉄心１１１の脚部に巻き回されている。鉄心１１１は、積層された複数の電磁鋼板で構成されている。巻線１１２の上部から引き出されたリードが、図示しないブッシングを介して外部リード１８０と接続されている。
【００１４】
タンク１２０は、上部タンク１２１、中部タンク１２２および下部タンク１２３を含む。上部タンク１２１、中部タンク１２２および下部タンク１２３は、互いに接合されて変圧器本体１１０を収容する内部空間を構成する。タンク１２０の内部には、絶縁油が充填されている。変圧器本体１１０は、絶縁油に浸漬されている。
【００１５】
鉄心１１１は、鉄心押さえ１７０と下部タンク１２３のフランジ部との間で、挟み込まれて固定されている。鉄心押さえ１７０は、中部タンク１２２の周壁の上部の内周面に接合されている。そのため、中部タンク１２２の周壁の上部は、中部タンク１２２の周壁の他の部分より強度が高くなっている。
【００１６】
コンサベータ１３０は、タンク１２０より上方の位置に配置される。コンサベータ１３０は、コンサベータ本体１３１と脚部１３２とを含む。コンサベータ本体１３１とタンク１２０とは、絶縁油の通路となる図示しない通油管で互いに接続される。コンサベータ１３０は、互いに間隔をあけて並んで配置される２つの支持金具１４０によって支持される。
【００１７】
図３は、本発明の実施の形態１に係る変圧器が備える支持金具の構成を示す正面図である。図４は、図３の支持金具をＩＶ−ＩＶ線矢印方向から見た断面図である。
【００１８】
図１〜図４に示すように、２つの支持金具１４０の各々は、主部１４１、下端部１４２および上端部１４３を含む。本実施の形態においては、２つの支持金具１４０の各々は、Ｈ形鋼で構成されており、傾斜した状態で配置される。２つの支持金具１４０は、２つのＬ字鋼で構成された筋交１６０が互いの主部１４１の上部に連結されることにより一体化される。
【００１９】
支持金具１４０の上端部１４３は、水平方向に沿う端面を有しており、コンサベータ１３０の脚部１３２と連結される。支持金具１４０の下端部１４２は、垂直方向に沿う端面を有しており、取付座１５０と連結される。本実施の形態においては、２つの支持金具１４０は、１対１で対応するように２つの取付座１５０に取り付けられる。
【００２０】
図５は、本発明の実施の形態１に係る変圧器が備える取付座の構成を示す正面図である。図６は、図５の取付座を矢印ＶＩ方向から見た側面図である。図７は、本発明の実施の形態１に係る変圧器において、取付座に支持金具が取り付けられる前の状態を示す部分側面図である。図７においては、図２と同一の方向から見て図示している。
【００２１】
図１，２，５〜７に示すように、取付座１５０は、平板部１５１および脚部を含む。平板部１５１は、支持金具１４０の下端部１４２と接する。平板部１５１は、設置場所において変圧器１００が組み立てられる際に、支持金具１４０の下端部１４２と溶接によって接合される。
【００２２】
取付座１５０の脚部は、上部脚部１５２と下部脚部１５３とからなる。ただし、取付座１５０の脚部は、一体で構成されていてもよい。上部脚部１５２および下部脚部１５３は、平板部１５１の支持金具１４０と接する側とは反対側から立設されている。上部脚部１５２と下部脚部１５３とは、垂直方向において互いに間隔をあけて配置されている。上部脚部１５２および下部脚部１５３の各々の形状は、垂直方向に沿う長手方向を有する直方体である。
【００２３】
上部脚部１５２は、上部タンク１２１の周壁と接する。下部脚部１５３は、中部タンク１２２の周壁と接する。よって、取付座１５０の脚部は、上部タンク１２１の周壁および中部タンク１２２の周壁の両方に接する。
【００２４】
本実施の形態においては、平板部１５１、上部脚部１５２および下部脚部１５３の各々は、鋼材で構成されている。上部脚部１５２および下部脚部１５３の各々と平板部１５１とは、互いに溶接によって接合されている。なお、取付座１５０が、鋳造または切削加工などにより、１つの部材で構成されていてもよい。
【００２５】
平板部１５１の高さ方向の寸法は、上部脚部１５２および下部脚部１５３を合わせた高さ方向の寸法より大きい。平板部１５１の幅方向の寸法は、上部脚部１５２および下部脚部１５３を合わせた幅方向の寸法より大きい。
【００２６】
上部脚部１５２は、上部タンク１２１の周壁に溶接によって接合されている。下部脚部１５３は、中部タンク１２２の周壁に溶接によって接合されている。このように、２つの取付座１５０は、上部タンク１２１の周壁および中部タンク１２２の周壁の両方に接合されてタンク１２０に固定される。
【００２７】
本実施の形態においては、２つの取付座１５０の各々は、中部タンク１２２の周壁を間に挟んで鉄心押さえ１７０と向かい合っている。具体的には、２つの取付座１５０の各々の下部脚部１５３は、鉄心押さえ１７０が接合されている中部タンク１２２の周壁の上部の外周面に接合されている。
【００２８】
以下、本発明の実施の形態１に係る変圧器１００の組立方法について説明する。
下部タンク１２３を配置した後、鉄心１１１および巻線１１２を下部タンク１２３の内側に配置する。次に、中部タンク１２２を下部タンク１２３上に配置することにより、鉄心押さえ１７０と下部タンク１２３のフランジ部との間で鉄心１１１を挟み込んで固定する。その後、巻線１１２の上部から引き出したリードと、変圧器１００の外部とを接続する外部リード１８０とを結線する。
【００２９】
次に、上部タンク１２１を中部タンク１２２上に配置する。その後、上部タンク１２１、中部タンク１２２および下部タンク１２３を、互いに接合する。次に、上部脚部１５２を上部タンク１２１の周壁に接合し、下部脚部１５３を中部タンク１２２の周壁に接合することにより、取付座１５０をタンク１２０に固定する。
【００３０】
その後、図７に示すように取付座１５０に支持金具１４０が取り付けられる前の状態で変圧器１００を設置場所に輸送する。設置場所にて２つの取付座１５０に２つの支持金具１４０を取り付け、筋交１６０によって２つの支持金具１４０を互いに連結する。次に、コンサベータ１３０を支持金具１４０の上端部１４３上に配置し、コンサベータ１３０の脚部１３２と支持金具１４０の上端部１４３とを連結する。
【００３１】
本発明の実施の形態１に係る変圧器１００においては、取付座１５０を上部タンク１２１の周壁および中部タンク１２２の周壁の両方に接合してタンク１２０に固定し、支持金具１４０を取付座１５０に取り付けることにより、タンク１２０の継ぎ目および計器類の配置の影響を緩和して、高さ方向および幅方向の少なくとも一方に大きな支持金具１４０をタンク１２０の周壁に取り付け可能とすることができる。これにより、支持金具１４０の横断面積を大きくして支持金具１４０の強度を高くすることができるため、支持金具１４０に接続する梁の数を低減できる。その結果、設置場所での変圧器１００の組立時間を短くすることができる。
【００３２】
また、本実施の形態においては、鉄心押さえ１７０が接合されて強度が高くなっている中部タンク１２２の周壁の上部に取付座１５０の下部脚部１５３を接合していることにより、支持金具１４０を大型化して、より重いコンサベータ１３０を支持することが可能となる。
【００３３】
取付座１５０が、平板部１５１、並びに、上部タンク１２１の周壁および中部タンク１２２の周壁の両方に接する脚部を含むことにより、取付座１５０に支持金具１４０を安定して取り付けることができるとともに、取付座１５０とタンク１２０とを安定して接合することができる。
【００３４】
複数の支持金具１４０を、１対１で対応するように複数の取付座１５０に取り付けることにより、取付座１５０を軽量化することができ、ひいては、変圧器１００を軽量化することができる。
【００３５】
実施の形態２.
以下、本発明の実施の形態２に係る変圧器について図を参照して説明する。なお、本発明の実施の形態２に係る変圧器は、取付座の構成のみ本発明の実施の形態１に係る変圧器１００と異なるため、本発明の実施の形態１に係る変圧器１００と同様である構成については説明を繰り返さない。
【００３６】
図８は、本発明の実施の形態２に係る変圧器が備える取付座の構成を示す正面図である。図９は、図８の取付座を矢印ＩＸ方向から見た側面図である。
【００３７】
図８および図９に示すように、本発明の実施の形態２に係る変圧器が備える取付座１５０ａは、平板部１５１および脚部を含む。取付座１５０ａの脚部は、上部脚部１５２と下部脚部１５３とからなる。取付座１５０ａは、平板部１５１から支持金具１４０と接する側とは反対側に突出するリブ１５４ａをさらに含む。
【００３８】
本実施の形態においては、上部脚部１５２および下部脚部１５３の各々の高さ方向の両端の位置に、平板部１５１の幅方向に延在するリブ１５４ａが設けられている。リブ１５４ａは、直方体状の形状を有し、平板部１５１に溶接によって接合されている。なお、リブ１５４ａの形状および配置は、上記に限られず、平板部１５１から支持金具１４０と接する側とは反対側に突出していればよい。平板部１５１およびリブ１５４ａが、１つの部材で構成されていてもよい。
【００３９】
取付座１５０ａがリブ１５４ａをさらに含むことにより、取付座１５０ａの強度を高くすることができる。取付座１５０ａの強度を高くすることによって、支持金具１４０を大型化して、より重いコンサベータ１３０を支持することが可能となる。もしくは、取付座１５０ａの軽量化を図ることができ、ひいては、変圧器の軽量化を図ることができる。
【００４０】
実施の形態３.
以下、本発明の実施の形態３に係る変圧器について図を参照して説明する。なお、本発明の実施の形態３に係る変圧器は、支持金具が取付座に着脱可能に取り付けられている点が主に、本発明の実施の形態２に係る変圧器と異なるため、本発明の実施の形態２に係る変圧器と同様である構成については説明を繰り返さない。
【００４１】
図１０は、本発明の実施の形態３に係る変圧器の構成を示す部分正面図である。図１１は、本発明の実施の形態３に係る変圧器が備える取付座の構成を示す正面図である。図１２は、図１１の取付座を矢印ＸＩＩ方向から見た側面図である。
【００４２】
図１０〜図１２に示すように、本発明の実施の形態３に係る変圧器においては、支持金具１４０ｂは、取付座１５０ｂに着脱可能に取り付けられる。本実施の形態においては、ボルト１９０およびナット１９１によって、支持金具１４０ｂと取付座１５０ｂとを連結している。
【００４３】
具体的には、支持金具１４０ｂは、主部１４１、下端部１４２、上端部１４３、および、下端部１４２に接合された平板部１４４を含む。平板部１４４には、ボルト１９０が挿通される図示しない８つの貫通孔が形成されている。
【００４４】
取付座１５０ｂは、平板部１５１ｂおよび脚部を含む。平板部１５１ｂは、支持金具１４０ｂの平板部１４４と接する。取付座１５０ｂの脚部は、上部脚部１５２ｂと下部脚部１５３ｂとからなる。上部脚部１５２ｂおよび下部脚部１５３ｂは、平板部１５１ｂの支持金具１４０ｂと接する側とは反対側から立設されている。上部脚部１５２ｂと下部脚部１５３ｂとは、垂直方向において互いに間隔をあけて配置されている。上部脚部１５２ｂおよび下部脚部１５３ｂの各々の形状は、垂直方向に沿う長手方向を有する直方体である。
【００４５】
上部脚部１５２ｂは、上部タンク１２１の周壁と接する。下部脚部１５３ｂは、中部タンク１２２の周壁と接する。よって、取付座１５０ｂの脚部は、上部タンク１２１の周壁および中部タンク１２２の周壁の両方に接する。上部脚部１５２ｂおよび下部脚部１５３ｂの各々と平板部１５１ｂとは、互いに溶接によって接合されている。
【００４６】
取付座１５０ｂは、平板部１５１ｂから支持金具１４０ｂと接する側とは反対側に突出するリブ１５４ｂをさらに含む。上部脚部１５２ｂおよび下部脚部１５３ｂの各々の高さ方向の両端の両側方の位置に、平板部１５１ｂの幅方向に延在するリブ１５４ｂが設けられている。リブ１５４ｂは、直方体状の形状を有し、平板部１５１に溶接によって接合されている。なお、取付座１５０ｂが、鋳造または切削加工などにより、１つの部材で構成されていてもよい。
【００４７】
平板部１５１ｂには、ボルト１９０が挿通される８つの貫通孔１５１ｈが形成されている。平板部１５１ｂに直交する方向から見て、平板部１５１ｂの高さ方向の両端に位置する４つのリブ１５４ｂの各々は、高さ方向にて２つの貫通孔１５１ｈに挟まれて位置している。
【００４８】
上部脚部１５２ｂは、上部タンク１２１の周壁に溶接によって接合されている。下部脚部１５３ｂは、中部タンク１２２の周壁に溶接によって接合されている。このように、取付座１５０ｂは、上部タンク１２１の周壁および中部タンク１２２の周壁の両方に接合されてタンク１２０に固定される。
【００４９】
支持金具１４０ｂの平板部１４４の貫通孔および取付座１５０ｂの平板部１５１ｂの貫通孔１５１ｈを挿通したボルト１９０とナット１９１とを螺合させることにより、支持金具１４０ｂが取付座１５０ｂに着脱可能に取り付けられる。
【００５０】
ただし、支持金具１４０ｂと取付座１５０ｂとの連結方法は、ボルト１９０およびナット１９１の締結に限られず、たとえば、取付座１５０ｂの平板部１５１ｂにボルト１９０と螺合する雌ねじが形成されており、支持金具１４０ｂの平板部１４４の貫通孔を挿通したボルト１９０と上記雌ねじとを螺合させることにより、支持金具１４０ｂを取付座１５０ｂに着脱可能に取り付けるようにしてもよい。
【００５１】
なお、上記雌ねじが支持金具１４０ｂの平板部１４４に形成されていてもよい。この場合、取付座１５０ｂの平板部１５１ｂの貫通孔１５１ｈを挿通したボルト１９０と、支持金具１４０ｂの平板部１４４に形成された雌ねじとを螺合させることにより、支持金具１４０ｂを取付座１５０ｂに着脱可能に取り付けることができる。
【００５２】
支持金具１４０ｂと取付座１５０ｂとを着脱可能とすることにより、変圧器を設置場所に輸送する前に、支持金具１４０ｂを取付座１５０ｂに取り付けて、コンサベータ１３０を配置した状態で変圧器の完成品検査を行ない、その後、取付座１５０ｂから支持金具１４０ｂを取り外した状態の変圧器を設置場所に輸送し、設置場所にて変圧器を再組み立てする、一連の作業を容易にすることができる。その結果、設置場所での変圧器の組立時間を短くすることができる。
【００５３】
実施の形態４.
以下、本発明の実施の形態４に係る変圧器について図を参照して説明する。なお、本発明の実施の形態４に係る変圧器は、複数の支持金具が１つの取付座に取り付けられている点、および、支持金具と取付座との位置合わせ用の係合部を備える点が主に、本発明の実施の形態３に係る変圧器と異なるため、本発明の実施の形態３に係る変圧器と同様である構成については説明を繰り返さない。
【００５４】
図１３は、本発明の実施の形態４に係る変圧器の構成を示す部分正面図である。図１４は、図１３の変圧器を矢印ＸＩＶ方向から見た部分側面図である。
【００５５】
図１３および図１４に示すように、本発明の実施の形態４に係る変圧器は、２つの支持金具１４０ｂと、１つの取付座１５０ｃとを備える。２つの支持金具１４０ｂは、１つの取付座１５０ｃに取り付けられる。取付座１５０ｃに、支持金具１４０ｂと取付座１５０ｃとの位置合わせ用の係合部１５５が設けられている。
【００５６】
具体的には、取付座１５０ｃは、平板部１５１ｃおよび脚部を含む。平板部１５１ｃは、幅方向に延在し、２つの支持金具１４０ｂの平板部１４４と接する。取付座１５０ｃは、平板部１５１ｃから支持金具１４０ｂと接する側に突出する係合部１５５をさらに含む。係合部１５５は、平板部１５１ｃの下端の位置にて幅方向に延在している。係合部１５５は、直方体状の形状を有し、平板部１５１ｃに溶接によって接合されている。係合部１５５の形状は、直方体状に限られず、円柱状であってもよい。なお、取付座１５０ｃが、鋳造または切削加工などにより、１つの部材で構成されていてもよい。
【００５７】
２つの支持金具１４０ｂを取付座１５０ｃに取り付ける際には、２つの支持金具１４０ｂの各々の平板部１４４の下端を係合部１５５の上面と接触させることにより、２つの支持金具１４０ｂを取付座１５０ｃに対して高さ方向に位置合わせすることができる。
【００５８】
１つの取付座１５０ｃに２つの支持金具１４０ｂを取り付けることにより、複数の取付座を用いた場合の取付座同士の位置ずれの影響を受けることがないため、２つの支持金具１４０ｂを高精度に配置することができる。
【００５９】
よって、本実施の形態に係る変圧器においては、支持金具１４０ｂを取付座１５０ｃに対して容易に位置合わせしつつ、支持金具１４０ｂを高精度に配置することができる。ひいては、コンサベータ１３０をタンク１２０に対して高精度に配置することが可能となる。
【００６０】
なお、支持金具１４０ｂと取付座１５０ｃとの位置合わせ用の係合部は、支持金具１４０ｂの平板部１４４に設けられていてもよいし、支持金具１４０ｂの平板部１４４および取付座１５０ｃの平板部１５１ｃの両方に設けられていてもよい。また、２つの支持金具１４０ｂが、１対１で対応するように２つの取付座に取り付けられており、２つの取付座の各々に係合部１５５が設けられていてもよい。
【００６１】
実施の形態５.
以下、本発明の実施の形態５に係る変圧器について図を参照して説明する。なお、本発明の実施の形態５に係る変圧器は、取付座の構成のみ本発明の実施の形態１に係る変圧器１００と異なるため、本発明の実施の形態１に係る変圧器１００と同様である構成については説明を繰り返さない。
【００６２】
図１５は、本発明の実施の形態５に係る変圧器が備える取付座の構成を示す正面図である。図１６は、図１５の変圧器を矢印ＸＶＩ方向から見た側面図である。図１７は、図１５の変圧器を矢印ＸＶＩＩ方向から見た平面図である。
【００６３】
図１５〜図１７に示すように、本発明の実施の形態５に係る変圧器が備える取付座１５０ｄは、平板部１５１の周囲の少なくとも一部から支持金具１４０と接する側に突出する突出部１５６を含む。本実施の形態においては、突出部１５６は、平板部１５１の幅方向の両側において、垂直方向に延在している。平板部１５１と突出部１５６とは、１つの部材で構成されている。ただし、平板部１５１と突出部１５６とが別々の部材で構成され、溶接によって互いに接合されていてもよい。突出部１５６は、突出部１５６を含むことにより、強度および剛性が高くなっている。
【００６４】
図１８は、本発明の実施の形態５に係る変圧器を、取付座に支持金具が取り付けられる前に、ワイヤにて吊り上げる状態を示す側面図である。図１９は、図１８の変圧器を吊り上げる状態を矢印ＸＩＸ方向から見た部分正面図である。
【００６５】
図１８および図１９に示すように、本発明の実施の形態５に係る変圧器をワイヤ１によって吊り上げる際には、ワイヤ１を下部タンク１２３の一方の側面に設けられている２箇所の係止部１２３ｆに連結する。また、他のワイヤを下部タンク１２３の他方の側面に設けられている図示しない２箇所の係止部に連結する。ワイヤ１および他のワイヤをクレーンの吊り手２で引き上げることにより、変圧器を吊り上げる。
【００６６】
上記のように変圧器を吊り上げる際、ワイヤ１は、取付座１５０ｄの突出部１５６と接触して屈曲した状態となる。そのため、変圧器を吊り上げた際に、取付座１５０ｄに大きな荷重が負荷される。本実施の形態に係る取付座１５０ｄは、突出部１５６を含むことにより、強度および剛性が高くなっているため、変圧器を吊り上げた際に取付座１５０ｄが変形することを抑制することができる。なお、取付座１５０ｄにおける突出部１５６の位置は、ワイヤ１と取付座１５０ｄとの接触位置に対応して適宜設定される。
【００６７】
上述した実施の形態の説明において、組み合わせ可能な構成を相互に組み合わせてもよい。
【００６８】
なお、今回開示した上記実施の形態はすべての点で例示であって、限定的な解釈の根拠となるものではない。したがって、本発明の技術的範囲は、上記した実施の形態のみによって解釈されるものではなく、請求の範囲の記載に基づいて画定される。また、請求の範囲と均等の意味および範囲内でのすべての変更が含まれる。
【符号の説明】
【００６９】
１  ワイヤ、２  吊り手、１００  変圧器、１１０  変圧器本体、１１１  鉄心、１１２  巻線、１２０  タンク、１２１  上部タンク、１２２  中部タンク、１２３  下部タンク、１２３ｆ  係止部、１３０  コンサベータ、１３１  コンサベータ本体、１３２  脚部、１４０，１４０ｂ  支持金具、１４１  主部、１４２  下端部、１４３  上端部、１４４，１５１，１５１ｂ，１５１ｃ  平板部、１５０，１５０ａ，１５０ｂ，１５０ｃ，１５０ｄ  取付座、１５１ｈ  貫通孔、１５２，１５２ｂ  上部脚部、１５３，１５３ｂ  下部脚部、１５４ａ，１５４ｂ  リブ、１５５  係合部、１５６  突出部、１６０  筋交、１７０  鉄心押さえ、１８０  外部リード、１９０  ボルト、１９１  ナット。
【図１】
2019142250.tif 000003
【図２】
2019142250.tif 000004
【図３】
2019142250.tif 000005
【図４】
2019142250.tif 000006
【図５】
2019142250.tif 000007
【図６】
2019142250.tif 000008
【図７】
2019142250.tif 000009
【図８】
2019142250.tif 000010
【図９】
2019142250.tif 000011
【図１０】
2019142250.tif 000012
【図１１】
2019142250.tif 000013
【図１２】
2019142250.tif 000014
【図１３】
2019142250.tif 000015
【図１４】
2019142250.tif 000016
【図１５】
2019142250.tif 000017
【図１６】
2019142250.tif 000018
【図１７】
2019142250.tif 000019
【図１８】
2019142250.tif 000020
【図１９】
2019142250.tif 000021
【国際調査報告】
2019142250.tif 000022
2019142250.tif 000023
2019142250.tif 000024